(57)【要約】【課題】一度で調整できるドラグ調整範囲、特に一度で回動させることができるドラグ操作ノブの回動操作範囲を拡大させることができるハンドルを備えた魚釣用リールを提供する。【解決手段】本発明の魚釣用リールのハンドル９ａは、その幅がドラグ調整ノブ側へ向かって徐々に狭くなるように、その幅方向の両端面６３，６４がテーパ状に形成されている。ハンドル９ａは、長手方向に対して垂直な方向で切断したその断面の角部６８，６９が所定の曲率半径を有する円弧状に形成されている。ドラグ調整ノブ側に位置する角部６８の曲率半径は、その反対側に位置する角部６９の曲率半径よりも大きい。【選択図】図３
2011155871.tif 000002
【特許請求の範囲】
【請求項１】
リール本体に釣糸巻回用のスプールが回転可能に取り付けられて成るとともに、前記スプールに釣糸を巻き取るための釣糸巻き取り機構と、前記スプールの回転にドラグ力を付与するドラグ機構と、前記釣糸巻き取り機構に結合するハンドル軸に回転可能に結合されるハンドルと、前記リール本体と前記ハンドルとの間に位置される前記ドラグ機構のドラグ調整ノブとを備える魚釣用リールであって、
前記ハンドルは、前記ハンドル軸に対して略直交する長手方向に沿って所定の長さで延びるとともに、前記ハンドル軸の軸方向に沿う所定の厚さと、長手方向および厚さ方向に対して略直交する方向に沿う所定の幅とを有し、
前記ハンドルは、厚さ方向に対向するその両側面のうち、前記ドラグ調整ノブに対向する面を第１の面、その反対側の面を第２の面とすると、第２の面から第１の面へ向けて幅が小さくなるように幅方向のその両端面がテーパ状に形成されていることを特徴とする魚釣用リール。
【請求項２】
前記ハンドルは、長手方向に対して垂直な方向で切断したその断面の角部が所定の曲率半径を有する円弧状に形成されていることを特徴とする請求項１に記載の魚釣用リール。
【請求項３】
前記ドラグ調整ノブ側に位置する前記角部の曲率半径は、その反対側に位置する前記角部の曲率半径よりも大きいことを特徴とする請求項２に記載の魚釣用リール。
【請求項４】
前記ハンドルが炭素繊維強化プラスチックによって形成されることを特徴とする請求項１ないし請求項３のいずれか１項に記載の魚釣用リール。
【請求項５】
前記ハンドルは、２つの方向に引き揃えられた繊維束同士が織布状に交差して成る表層間に繊維が一方向に引き揃えられて成る中間層を配置することによって構成される積層構造を成し、前記表層の繊維は、前記ハンドルの長手方向に対して３０°以上６０°以下の角度を成して引き揃えられていることを特徴とする請求項４に記載の魚釣用リール。
【請求項６】
前記中間層は、繊維が前記ハンドルの長手方向と略平行に引き揃えられた第１の層と、繊維が前記ハンドルの長手方向に対して４５±１５°または−４５±１５°の角度を成す第２の層と、繊維が前記ハンドルの長手方向に対して略９０°の角度を成す第３の層とを有し、前記第１の層の厚さをＴ１、前記第２の層の厚さをＴ２、前記第３の層の厚さをＴ３とすると、０≦Ｔ２＜Ｔ１、かつ、０≦Ｔ３＜Ｔ１が成り立つことを特徴とする請求項５に記載の魚釣用リール。
【請求項７】
前記ハンドルが開口を有し、この開口は、ハンドルの第２の面から第１の面へ向けてその開口幅が広がるように形成されていることを特徴とする請求項１ないし請求項６のいずれか１項に記載の魚釣用リール。
【請求項８】
前記ハンドルは、その長手方向の一部が前記ドラグ調整ノブ側へ向けて屈曲されていることを特徴とする請求項１ないし請求項７のいずれか１項に記載の魚釣用リール。
【発明の詳細な説明】
【技術分野】
【０００１】
本発明は、魚釣用リールに係わり、特に、スタードラグに適するハンドル形状に特徴を有する魚釣用リールに関する。
【背景技術】
【０００２】
一般に、魚釣用リールは、釣糸巻回用のスプールの回転にドラグ力を付与するドラグ機構を備えており、該ドラグ機構によるドラグ力の調整を行なうための操作ノブがハンドルの近傍に設けられる。特に両軸受型リールでは、そのようなドラグ調整ノブとして星型を成したノブ（そのようなノブを伴うドラグを、一般に、「スタードラグ」と称する）が知られている。
【０００３】
前記スタードラグの操作ノブ（以下、単に、スタードラグと称する）は、通常、ハンドルの内側に、該ハンドルに隣接して位置されており、釣糸巻き取り機構に結合されたハンドル軸を中心に回転可能に取り付けられる。したがって、ハンドルから手を離すことなくスタードラグを調整操作することが可能である（例えば、特許文献１参照）。
【先行技術文献】
【特許文献】
【０００４】
【特許文献１】特開２００７−２８９１６号公報
【発明の概要】
【発明が解決しようとする課題】
【０００５】
ところで、スタードラグの調整操作は、スタードラグの周方向に沿って間隔を隔てて配設された複数の羽根状の操作突部のうちの１つに指を引っ掛けてスタードラグを回動させることによりなされるが、その際、ハンドルが邪魔になって、一度で調整できるドラグ調整範囲、すなわち、一度で回動させることができるスタードラグの回動操作範囲が制限を受ける。
【０００６】
本発明は、前記事情に着目してなされたものであり、その目的とするところは、一度で調整できるドラグ調整範囲、特に一度で回動させることができるドラグ操作ノブの回動操作範囲を拡大させることができるハンドルを備えた魚釣用リールを提供することにある。
【課題を解決するための手段】
【０００７】
前記課題を解決するために、請求項１に記載の発明は、リール本体に釣糸巻回用のスプールが回転可能に取り付けられて成るとともに、前記スプールに釣糸を巻き取るための釣糸巻き取り機構と、前記スプールの回転にドラグ力を付与するドラグ機構と、前記釣糸巻き取り機構に結合するハンドル軸に回転可能に結合されるハンドルと、前記リール本体と前記ハンドルとの間に位置される前記ドラグ機構のドラグ調整ノブとを備える魚釣用リールであって、前記ハンドルは、前記ハンドル軸に対して略直交する長手方向に沿って所定の長さで延びるとともに、前記ハンドル軸の軸方向に沿う所定の厚さと、長手方向および厚さ方向に対して略直交する方向に沿う所定の幅とを有し、また、前記ハンドルは、厚さ方向に対向するその両側面のうち、前記ドラグ調整ノブに対向する面を第１の面、その反対側の面を第２の面とすると、第２の面から第１の面へ向けて幅が小さくなるように幅方向のその両端面がテーパ状に形成されていることを特徴とする。
【０００８】
この請求項１に記載の発明によれば、ハンドルの幅が前記ドラグ調整ノブ側へ向かって徐々に狭くなるようにハンドルの幅方向のその両端面がテーパ状に形成されているため、このテーパ部により、ハンドルを握る手の指をハンドルとリール本体との間の空間の更に内側へと潜り込ませることができる。したがって、ドラグ調整ノブを操作する使用者の指の動かせる空間が更に拡大され、一度（１回の操作）で調整できるドラグ調整範囲、すなわち、一度で回動させることができるドラグ操作ノブの回動操作範囲を拡大させることができる（ドラグ操作がし易くなる）。これは、特に、広い調整領域にわたって素早い調整が必要となる、例えば大物の魚が掛かった際に有益である。また、逆に、このようなテーパ構造は、ハンドルの前記第２の面の幅を広くすることを意味し、それにより、十分な剛性、強度を確保することができる。
【０００９】
また、請求項２に記載の発明は、請求項１に記載の発明において、前記ハンドルは、長手方向に対して垂直な方向で切断したその断面の角部が所定の曲率半径を有する円弧状に形成されていることを特徴とする。
【００１０】
この請求項２に記載の発明によれば、請求項１に記載の発明と同様の作用効果が得られるとともに、ハンドルの前記テーパ形状に起因して鈍角となる前記角部をＲ形状とすることにより、操作の際の角部への指の食い込みを抑制し、指のフィット感を向上させることができる。
【００１１】
また、請求項３に記載の発明は、請求項２に記載の発明において、前記ドラグ調整ノブ側に位置する前記角部の曲率半径は、その反対側に位置する前記角部の曲率半径よりも大きいことを特徴とする。
【００１２】
この請求項３に記載の発明によれば、請求項２に記載の発明と同様の作用効果が得られるとともに、ドラグ調整ノブ側に位置する角部の曲率半径をその反対側に位置する角部の曲率半径よりも大きくしたため、ドラグ調整ノブ操作時の角部への指の食い込みを更に抑制できるだけでなく、操作領域の更なる拡大も図れるため、請求項１の作用効果を更に促進させることができる。一方、反対側の角部の曲率半径を小さくしたことにより、十分な剛性および強度も確保できる。
【００１３】
また、請求項４に記載の発明は、請求項１ないし請求項３のいずれか１項に記載の発明において、前記ハンドルが炭素繊維強化プラスチックによって形成されることを特徴とする。
【００１４】
この請求項４に記載の発明によれば、請求項１ないし請求項３のいずれか１項に記載の発明と同様の作用効果が得られるとともに、ハンドルが比強度・比剛性の高い炭素繊維強化プラスチックによって形成されるため、ハンドルの軽量化が可能になる。
【００１５】
また、請求項５に記載の発明は、請求項４に記載の発明において、前記ハンドルは、２つの方向に引き揃えられた繊維束同士が織布状に交差して成る表層間に繊維が一方向に引き揃えられて成る中間層を配置することによって構成される積層構造を成し、前記表層の繊維は、前記ハンドルの長手方向に対して３０°以上６０°以下の角度を成して引き揃えられていることを特徴とする。
【００１６】
この請求項５に記載の発明によれば、請求項４に記載の発明と同様の作用効果が得られるとともに、ハンドルの表層として繊維同士が交差する層を用いているため好ましい意匠性が得られる。また、表層は、一方向に繊維が引き揃えられた中間層に比べてせん断強度が高いため、鋭利なものが衝突した場合でもその衝撃に耐えることができる。また、万一、表層が破損した場合でも、ササクレが立ちにくく、安全性が高い。また、本構成では、中間層として一方向に繊維が引き揃えられた層を用いているため、繊維比率が高く、比剛性を高めるのに都合が良い。また、繊維方向を制御し易く、目的に応じ易い。更に、本構成では、表層の繊維が、ハンドルの長手方向に対して３０°以上６０°以下の角度を成して引き揃えられているため、捻り負荷に対して剛性および強度を共に高くできる。また、万一の破損時においても、回転方向（ハンドルの長手方向に対して直角な方向）に向いたササクレが発生しにくくなる。
【００１７】
また、請求項６に記載の発明は、請求項５に記載の発明において、前記中間層は、繊維が前記ハンドルの長手方向と略平行に引き揃えられた第１の層と、繊維が前記ハンドルの長手方向に対して４５±１５°または−４５±１５°の角度を成す第２の層と、繊維が前記ハンドルの長手方向に対して略９０°の角度を成す第３の層とを有し、前記第１の層の厚さをＴ１、前記第２の層の厚さをＴ２、前記第３の層の厚さをＴ３とすると、０≦Ｔ３＜Ｔ１、かつ、０≦Ｔ３＜Ｔ２が成り立つことを特徴とする。
【００１８】
この請求項６に記載の発明によれば、請求項５に記載の発明と同様の作用効果が得られるとともに、０≦Ｔ２＜Ｔ１、かつ、０≦Ｔ３＜Ｔ１が満たされることにより、ハンドルの破損時においても、回転方向（ハンドルの長手方向に対して直角な方向）に向いた亀裂が発生しにくくなる。また、同方向に向いたササクレも発生しにくくなり、安全性が高い。
【００１９】
また、請求項７に記載の発明は、請求項１ないし請求項６のいずれか１項に記載の発明において、前記ハンドルが開口を有し、この開口は、ハンドルの第２の面から第１の面へ向けてその開口幅が広がるようにテーパ形状に形成されていることを特徴とする。
【００２０】
この請求項７に記載の発明によれば、請求項１ないし請求項６のいずれか１項に記載の発明と同様の作用効果が得られるとともに、開口によってハンドルの軽量化を図ることができ、また、開口のテーパ形状により外側から開口を通じてリール内側（例えばハンドル軸）に水が浸入するのを効果的に防止できる。
【００２１】
また、請求項８に記載の発明は、請求項１ないし請求項７のいずれか１項に記載の発明において、前記ハンドルは、その長手方向の一部が前記ドラグ調整ノブ側へ向けて屈曲されていることを特徴とする。
【００２２】
この請求項８に記載の発明によれば、請求項１ないし請求項７のいずれか１項に記載の発明と同様の作用効果が得られるとともに、ハンドルの長手方向の一部がドラグ調整ノブ側へ向けて屈曲されているため、ドラグ調整ノブとハンドルとの間の距離を更に近づけて、ハンドルを握る手の指をハンドルとリール本体との間の空間の更に内側へと潜り込ませることができる。したがって、請求項１の作用効果を更に促進させることができる。
【発明の効果】
【００２３】
本発明の魚釣用リールによれば、ハンドルに特徴的なテーパ形状を設けることにより、一度で調整できるドラグ調整範囲、特に一度で回動させることができるドラグ操作ノブの回動操作範囲を拡大させることができる。
【図面の簡単な説明】
【００２４】
【図１】本発明の第１の実施形態に係る両軸受型リールとしての魚釣用リールの断面図である。
【図２】（ａ）は図１の魚釣用リールのハンドルの側面図、（ｂ）はハンドルの平面図である。
【図３】図２の（ａ）のＡ−Ａ線に沿う断面図である。
【図４】図１の魚釣用リールをハンドル側から見た概略側面図であり、ドラグ調整ノブの回動操作の開始点を示す図である。
【図５】図１の魚釣用リールをハンドル側から見た概略側面図であり、ドラグ調整ノブの回動操作の終端を示す図である。
【図６】図５のＢ−Ｂ線に沿う断面図である。
【図７】本発明の第２の実施形態に係る両軸受型リールとしての魚釣用リールの断面図である。
【図８】図７の魚釣用リールをハンドル側から見た概略側面図である。
【図９】（ａ）は図７の魚釣用リールのハンドルの側面図、（ｂ）はハンドルの平面図である。
【図１０】図９の（ａ）のＣ−Ｃ線に沿う断面図である。
【図１１】ハンドルの積層構造を構成する各層を分離して示した斜視的な模式図である。
【図１２】ハンドルの積層構造の部分断面図である。
【発明を実施するための形態】
【００２５】
以下、添付図面を参照して本発明に係る魚釣用リールの実施形態について説明する。
図１〜図６は本発明の第１の実施形態を示している。図１に示されるように、本発明に係る魚釣用リール１は、両軸受型リールであり、左右フレーム２ａ，２ｂと、これら左右フレーム２ａ，２ｂに装着される円形状の左右側板３ａ，３ｂとによってリール本体が構成されている。左右フレーム２ａ，２ｂは、複数の支柱を介して一体化されている。
【００２６】
左右フレーム２ａ，２ｂ（左右側板３ａ，３ｂ）間には、スプール軸５が軸受６を介して回転可能に支持されており、このスプール軸５には、釣糸が巻回されるスプール５ａが一体に取り付けられている。
【００２７】
右フレーム２ｂおよび右側板３ｂには軸受８を介してハンドル軸９（駆動力伝達機構１０に結合される）が回転可能に支持されており、ハンドル軸９の端部にはハンドル９ａが回転可能に装着されている。この場合、ハンドル９ａを回転操作すると、その操作力は、スプール５ａに釣糸を巻き取るための釣糸巻き取り機構としての駆動力伝達機構１０を介してスプール５ａに伝達され、スプール５ａを回転駆動するようになっている。なお、ハンドル軸９は、右側板３ｂとの間に介在された転がり式の一方向クラッチ１１（逆転防止機構）によって、釣糸巻取方向にのみ回転可能となっている。
【００２８】
また、右フレーム２ｂと右側板３ｂとの間には、駆動力伝達機構１０の駆動力の伝達を継脱するクラッチ機構１２と、魚釣時にスプール５ａから釣糸が繰り出された際にスプール５ａの回転にドラグ力を付与する公知のドラグ機構１３とが収容されている。
【００２９】
なお、ハンドル９ａの近傍、具体的には、リール本体とハンドル９ａとの間には、ドラグ機構１３によるドラグ力の調整を行なうための星型のドラグ調整ノブ（スタードラグ）１３ａが設けられており、また、スプール５ａの前側には、スプール５ａに対して釣糸を均一に平行巻きするためのレベルワインド機構５０が設けられている。
【００３０】
駆動力伝達機構１０は、ハンドル軸９に回転可能に支持された駆動歯車１４と、この駆動歯車１４に噛合するピニオン１５とを備えている。ピニオン１５は、スプール軸５と同軸的に延出し且つ右側板３ｂに軸受を介して回転可能に支持されたピニオン軸５ｂに設けられており、このピニオン軸５ｂに沿って軸方向に移動できる。また、ピニオン軸５ｂの外周には円周溝２９が形成されており、この円周溝２９には、ピニオン１５を軸方向に移動させるクラッチ機構１２の作動部材（ヨーク）２２が係合している。
【００３１】
また、ピニオン軸５ｂ（ピニオン１５）は、スプール軸５の端部に形成された断面が非円形の係合部と嵌合する嵌合部を端部に有しており、作動部材２２によってスプール５ａ側に移動されると、前記嵌合部がスプール軸５の前記係合部に嵌合状態で係合してハンドル９ａの操作力（駆動歯車１４の回転駆動力）をスプール軸５（スプール５ａ）に伝達する（クラッチＯＮ状態（釣糸巻取状態））とともに、作動部材２２によって右側板３ｂ側に移動されると、前記嵌合部がスプール軸５の前記係合部から外れてハンドル９ａの操作力をスプール軸５（スプール５ａ）に伝達しない（クラッチＯＦＦ状態（釣糸放出状態））。
【００３２】
図２および図３に示されるように、ハンドル９ａは、ハンドル軸９に対して略直交する長手方向（図２に矢印Ｌで示される方向）に沿って所定の長さで延びるとともに、ハンドル軸９の軸方向に沿う所定の厚さＴと、長手方向および厚さ方向に対して略直交する方向に沿う所定の幅Ｗとを有しており、例えばステンレス、アルミ合金、繊維強化樹脂によって形成される。
【００３３】
また、ハンドル９ａは、厚さ方向に対向するその両側面として、ドラグ調整ノブ１３ａに対向する第１の面６０、その反対側の第２の面６１とを有する。そして、ハンドル９ａは、図３に明確に示されるように、第２の面６１から第１の面６０へ向けて幅Ｗが小さくなるように幅方向のその両端面６３，６４がテーパ状に形成されている。更に、ハンドル９ａは、長手方向に対して垂直な方向で切断したその断面（図３に示される断面）の角部６８，６９が所定の曲率半径を有する円弧状に形成されている。この場合、ドラグ調整ノブ１３ａ側に位置する内側角部６８の曲率半径Ｒ１は、その反対側に位置する外側角部６９の曲率半径Ｒ２よりも大きく設定される（例えば、Ｒ１＝１．５〜２．５ｍｍ、Ｒ２＝０．５〜１．０ｍｍ）。
【００３４】
なお、本実施形態において、幅方向の両端面６３，６４のテーパ角θは、３°≦θ≦４５°に設定される。テーパ角θが３°未満では、ドラグ調整ノブ１３ａを動かせる効果が少なく、また、テーパ角θが４５°を超えると、外側角部６９が鋭角になり過ぎてしまい、操作する指に食い込んでフィット感が低下するからである。特に好ましいテーパ角θは、５°≦θ≦３０°である。
【００３５】
以上のように、本実施形態によれば、ハンドル９ａの幅がドラグ調整ノブ１３ａ側へ向かって徐々に狭くなるようにハンドル９ａの幅方向に対向するその両端面６３，６４がテーパ状に形成されているため、このテーパ部により、図４〜図６に示されるように、ハンドル９ａを握る手７０の指７１をハンドル９ａとリール本体との間の空間Ｓの更に内側へと潜り込ませることができる（特に図６参照）。すなわち、図５に示されるように、ドラグ調整ノブ１３ａの側辺８０がハンドル９ａの側辺８１よりも内側にくるまでドラグ調整ノブ１３ａを回動させることができる。つまり、ドラグ調整ノブ１３ａの周方向に沿って間隔を隔てて配設された複数の羽根状の操作突部７５のうちの１つに指７１を引っ掛けてドラグ調整ノブ１３ａを回動操作する際に指７１の動かせる空間が更にテーパ分（図６にＸで示される距離分）だけ拡大され、一度（１回の操作）で調整できるドラグ調整範囲、すなわち、一度で回動させることができるドラグ操作ノブの回動操作範囲を拡大させることができる（ドラグ操作がし易くなる）。これは、特に、広い調整領域にわたって素早い調整が必要となる、例えば大物の魚が掛かった際に有益である。また、逆に、このようなテーパ構造は、ハンドルの厚さ方向に対向する両側面のうち第２の面６１の幅を広くすることを意味し、それにより、十分な剛性、強度を確保することができる。
【００３６】
また、本実施形態では、ハンドル９ａの前記テーパ形状に起因して鈍角となる角部６８，６９をＲ形状としているため、操作の際の角部６８，６９への指の食い込みを抑制し、指７１のフィット感を向上させることができる。更に、本実施形態では、ドラグ調整ノブ１３ａ側に位置する角部６８の曲率半径Ｒ１をその反対側に位置する角部６９の曲率半径Ｒ２よりも大きくしたため、ドラグ調整ノブ操作時の角部６８への指７１の食い込みを更に抑制できるだけでなく、操作領域の更なる拡大も図れるため、前述した作用効果を更に促進させることができる。一方、反対側の角部６９の曲率半径Ｒ２を小さくしたことにより、十分な剛性および強度も確保できる。
【００３７】
図７〜図１２は本発明の第２の実施形態を示している。本実施形態は、前述した第１の実施形態の構成に加えて（したがって、第１の実施形態と同様の構成要素については、同一符号を付してその説明を省略する）、更に、ハンドル９ａの長手方向の一部がドラグ調整ノブ１３ａ側へ向けて屈曲されている。すなわち、ハンドル９ａは、長手方向の一部にそのような屈曲部９０を有している。また、これに対応して、ドラグ調整ノブ１３ａもほぼ同じ方向に屈曲される屈曲部９１を有する。
【００３８】
また、本実施形態において、ハンドル９ａは、その長手方向の一部（本実施形態では、屈曲部９０）に、開口９３を有している。これらの開口９３は、図１０に明確に示されるように、ハンドル９ａの第２の面６１から第１の面６０へ向けてその開口幅が広がるようにテーパ状に形成されている。そして、そのテーパ角θ１は、３°≦θ１≦３０°に設定される。この角度範囲から外れると、ハンドル９ａに必要な剛性が得られなくなり、また、開口９３を通じた水の浸入を抑制できない。
【００３９】
また、本実施形態（前述した第１の実施形態も同様）において、ハンドル９ａは、炭素繊維強化プラスチック（プリプレグ）によって形成されており、図１１および図１２に示されるように、２つの方向に引き揃えられた繊維束同士が織布状に交差して成る表層１００，１００間に繊維が一方向に引き揃えられて成る中間層１０２（１０２Ａ，１０２Ｂ，１０２Ｃ）を多数（本実施形態では、図１２に示されるように１１個の中間層）配置することによって構成される積層構造を成す。中間層１０２は、繊維がハンドル９ａの長手方向と略平行に引き揃えられた（ハンドルの長手方向を０°として（以下、同様）、０°±１５°の向きに引き揃えられた）６つの第１の中間層１０２Ａ（厚みｔ１）と、繊維がハンドル９ａの長手方向に対して＋４５±１５°および−４５±１５°の角度を成す４つの第２の中間層１０２Ｂ（＋４５±１５°），１０２Ｂ’（−４５±１５°）（共に厚みｔ２）と、繊維が前記ハンドルの長手方向に対して略９０°±１５°の角度を成す１つの中心部の第３の中間層１０２Ｃ（厚みｔ３）とを有する。なお、表層１００の繊維方向は、ハンドル９ａの長手方向に対して３０°以上６０°以下の角度（本実施形態では、＋４５°および−４５°）を成している。また、この場合、第１の中間層１０２Ａ全体の厚さをＴ１、第２の中間層１０２Ｂ全体の厚さをＴ２、第３の中間層１０２Ｃ全体の厚さをＴ３とすると、０≦Ｔ２＜Ｔ１、かつ、０≦Ｔ３＜Ｔ１が成り立つようになっている。
【００４０】
このような積層構造のハンドル９ａは、例えば、前述した各層（プリプレグ）１００，１０２Ａ，１０２Ｂ，１０２Ｃを図１１および図１２に示される配列形態で積層した状態で金型に入れ、加圧工程および熱硬化工程を施した後、金型から取り出すことにより製造され、更に、切削加工およびショットブラスト工程を施すことにより前述したテーパ面６３，６４を有するハンドル形態が得られる。この場合、使用できる表層１００の材料としては、弾性率２３．５〜６０tonf／mm2、密度１．７〜２．０、引張強度３００〜７００kgf／mm2の炭素繊維を用い、その繊維束を織布状とし、エポキシ樹脂に含浸したプリプレグを用いることができ、例えば東レ社のトレカ（登録商標）クロス品番ＣＯ６３４３のプリプレグ（厚み０．２５ｍｍ）を挙げることができ、また、使用できる第１の中間層１０２Ａ、第２の中間層１０２Ｂ，１０２Ｂ’、および、第３の中間層１０２Ｃの材料としては、弾性率２３．５〜６０tonf／mm2、密度１．７〜２．０、引張強度３００〜７００kgf／mm2の炭素繊維を用い、一方向に引き揃えられ、エポキシ樹脂に含浸したプリプレグを用いることができ、例えば東レ社のトレカ（登録商標）プリプレグ品番３２５２Ｓ−２５の一方向炭素繊維プリプレグ（厚み０．２４ｍｍ）を挙げることができる。これにより、Ｔ１＝ｔ１×６＝０．２４ｍｍ×６＝１．４４ｍｍ、Ｔ２＝ｔ２×４＝０．２４ｍｍ×４＝０．９６ｍｍ、Ｔ３＝ｔ３×１＝０．２４ｍｍとなり、０≦Ｔ２＜Ｔ１、かつ、０≦Ｔ３＜Ｔ１が成り立つ。
【００４１】
以上説明したように、本実施形態によれば、ハンドル９ａが比強度・比剛性の高い炭素繊維強化プラスチックによって形成されるため、ハンドル９ａの軽量化が可能になる。また、本実施形態によれば、ハンドル９ａの表層１００として繊維束同士が織布状に交差する層を用いているため好ましい意匠性が得られる。また、表層１００は、一方向に繊維が引き揃えられた中間層１０２に比べてせん断強度が高いため、鋭利なものが衝突した場合でもその衝撃に耐えることができる。また、万一、表層１００が破損した場合でも、ササクレが立ちにくく、安全性が高い。また、本実施形態では、中間層１０２として一方向に繊維が引き揃えられた層を用いているため、繊維比率が高く、比剛性を高めるのに都合が良い。また、繊維方向を制御し易く、目的に応じ易い。更に、本実施形態では、表層１００の繊維が、ハンドル９ａの長手方向に対して３０°以上６０°以下の角度を成して引き揃えられているため、捻り負荷に対して剛性および強度を共に高くできる。また、万一の破損時においても、回転方向（ハンドル９ａの長手方向に対して直角な方向）に向いたササクレが発生しにくくなる。
【００４２】
また、本実施形態によれば、０≦Ｔ２＜Ｔ１、かつ、０≦Ｔ３＜Ｔ１が満たされることにより、ハンドル９ａの破損時においても、回転方向（ハンドルの長手方向に対して直角な方向）に向いた亀裂が発生しにくくなる。また、同方向（回転方向）に向いた繊維層を他の繊維方向層に比して少なくしているので、同方向に向いたササクレも発生しにくくなり、安全性が高い。また、本実施形態によれば、開口９３によってハンドル９ａの軽量化を図ることができ、また、開口９３のテーパ形状により外側から開口９３を通じてリール内側（例えばハンドル軸９）に水が浸入するのを効果的に防止できる。更に、本実施形態によれば、ハンドル９ａの長手方向の一部がドラグ調整ノブ１３ａ側へ向けて屈曲されているため、ドラグ調整ノブ１３ａとハンドル９ａとの間の距離を更に近づけて（図７に示される距離Ｌ１を小さくできる）、ハンドル９ａを握る手の指をハンドル９ａとリール本体との間の空間の更に内側へと潜り込ませることができる（図７に示されるように、ハンドル９ａからリール本体側に突出する指の部分の長さＬ２を長く確保できる）。
【００４３】
なお、本発明は、前述した実施形態に限定されず、その要旨を逸脱しない範囲で種々変形して実施できることは言うまでもない。例えば、前述した実施形態では、本発明がスタードラグに適用されているが、本発明はレバードラグを用いた両軸受型リールにも適用可能である。また、前述した第２の実施形態には、ハンドルの積層構造として第３の中間層１０２Ｃが含まれるが、この層は無くてもよい。
【符号の説明】
【００４４】
５ａ  スプール
９  ハンドル軸
９ａ  ハンドル
１０  駆動力伝達機構（釣糸巻き取り機構）
１３  ドラグ機構
１３ａ  ドラグ調整ノブ
６０  第１の面
６１  第２の面
６３，６４  ハンドルの幅方向の両端面
６８，６９  角部
９３  開口
１００  表層
１０２  中間層
１０２Ａ  第１の中間層（第１の層）
１０２Ｂ  第２の中間層（第２の層）
１０２Ｃ  第３の中間層（第３の層）
【図１】
2011155871.tif 000003
【図２】
2011155871.tif 000004
【図３】
2011155871.tif 000005
【図４】
2011155871.tif 000006
【図５】
2011155871.tif 000007
【図６】
2011155871.tif 000008
【図７】
2011155871.tif 000009
【図８】
2011155871.tif 000010
【図９】
2011155871.tif 000011
【図１０】
2011155871.tif 000012
【図１１】
2011155871.tif 000013
【図１２】
2011155871.tif 000014